(57)【特許請求の範囲】
【請求項１】
ポンプの横方向に開口した吐出口に可撓管を接続し、該ポンプを搭載した台板を防振装置で支持した構成の立型ポンプ装置において、
吐出し圧力により前記ポンプ吐出口に掛かる推力により前記台板に加わる水平方向の荷重及び上下方向の荷重を受け該台板の傾斜を抑制する台板傾斜抑制手段を設けたことを特徴とする立型ポンプ装置。
【請求項２】
請求項１に記載の立型ポンプ装置において、
前記ポンプは吸込口が水槽内に開口した構成であり、前記台板には前記ポンプの他に該ポンプを駆動する電動機も搭載されており、
前記台板傾斜抑制手段は、前記吐出し圧力により前記ポンプ吐出口に掛かる推力により前記台板に掛かる水平方向の荷重及び上下方向の荷重を受ける弾性体で構成されていることを特徴とする立型ポンプ装置。
【発明の詳細な説明】
【０００１】
【発明の属する技術分野】
本発明は立型ポンプ装置に関し、特にポンプの吐出し圧力によるポンプ吐出口に掛かる推力により台板が傾斜するのを防止する台板傾斜抑制手段を具備する立型ポンプ装置に関するものである。
【０００２】
【従来の技術】
清水、汚水、その他の液体を移送、排水、加圧するポンプとして、立型ポンプがある。該立型ポンプにおいて、運転に伴って生じる振動が外部に伝播して振動公害或いは振動伝播が原因となって生じる騒音公害が問題となる。従来、ポンプの振動が基礎や吐出し配管を経由して外部に伝播するのを防止するために、吐出口に可撓管を接続すると共に、ポンプ設備（ポンプ及び駆動用電源等）を防振装置で支持する構成を採用している。
【０００３】
上記のように可撓管や防振装置を使用する構成では、ポンプの吐出し圧力による推力がポンプの吐出口に掛かると、ポンプ設備を支持する防振装置は垂直荷重用なので、このようなポンプの吐出し圧力によりポンプ吐出口に掛かる推力を受けることは困難となる。従って、通常は可撓管を使用していない。
【０００４】
近年、振動・騒音に対する規制が厳しくなっており、従来対策の不要であった小型のポンプ設備においても、ポンプ機場境界における騒音・振動をより小さくするための対策が必要になってきている。
【０００５】
【発明が解決しようとする課題】
本発明は上述の点に鑑みてなされたもので、簡単な構成でポンプの振動がポンプ室の床・壁・配管に伝わるのを防止できる立型ポンプ装置を提供することを目的とする。
【０００６】
【課題を解決するための手段】
上記課題を解決するため請求項１に記載の発明は、ポンプの横方向に開口した吐出口に可撓管を接続し、該ポンプを搭載した台板を防振装置で支持した構成の立型ポンプ装置において、吐出し圧力によりポンプ吐出口に掛かる推力により台板に加わる水平方向の荷重及び上下方向の荷重を受け該台板の傾斜を抑制する台板傾斜抑制手段を設けたことを特徴とする。
【０００７】
上記のように台板傾斜抑制装置を設けることにより、ポンプを運転して吐出し圧力が掛かるとポンプ吐出口に推力が生じる。また、吐出口に接続された可撓管の中心の高さと台板の高さに差があると、この差と推力の積によるモーメントが生じ、台板を傾けようと作用するが、この推力による台板を水平方向に移動させようとする荷重と、モーメントによる上下方向に移動させようとする荷重を台板傾斜抑制手段で受けるから、台板の水平方向の移動及び傾斜が抑制できる。
【０００８】
また、請求項２に記載の発明は、請求項１に記載の立型ポンプ装置において、ポンプは吸込口が水槽内に開口した構成であり、台板にはポンプの他に該ポンプを駆動する電動機も搭載もされており、台板傾斜抑制手段は、吐出し圧力によりポンプ吐出口に掛かる推力により台板に掛かる水平方向の荷重及び上下方向の荷重を受ける弾性体で構成されていることを特徴とする。
【０００９】
従来のポンプの吸込口が水槽内に開口しており、吐出口がポンプの横方向に開口した立型ポンプは、ポンプを水槽の上に設置するため、吐出し圧力による推力を受ける防振装置を使用することは難しく、ポンプの振動伝搬や振動に起因する騒音についての対策はポンプ機場の外で行わなければならないことが多く、規模が大きくなり対策費用も高額となっていた。本発明では上記のように台板傾斜抑制手段を、吐出し圧力によりポンプ吐出口に掛かる推力により、台板に掛かる水平方向の荷重及び上下方向の荷重を受ける弾性体で構成するので、いかなるポンプ機場でも安価に設置でき、振動対策や振動に起因する騒音対策の費用を大幅に削減できる。
【００１０】
【発明の実施の形態】
以下、本発明の実施の形態例を図面に基づいて説明する。図１乃至図４は本発明に係る立型ポンプ装置の構成例を示す図で、図１は立型ポンプ装置の据付構成図、図２は立型ポンプ装置を上から見た平面図、図３は図２のＸ‐Ｘ断面矢視図、図４は図２のＹ−Ｙ断面矢視図である。
【００１１】
図において、２はポンプであり、該ポンプ２は、その吸込口３が水槽１６内に開口し、吐出口４は横方向に突出し開口している立型ポンプである。ポンプ２と該ポンプ２を駆動する電動機１等は台板８に搭載されている。
【００１２】
吐出口４には可撓管５が接続され、該可撓管５に吐出配管６が接続され、該吐出配管６は吐出配管受７で水槽１６の上部の床１０に固定されている。上記ポンプ２及び電動機１が搭載された台板８は図２に示すように、複数個（図では４個）の防振装置１２で支持されている。該防振装置１２はポンプ２及び電動機１等の垂直荷重を受けるようになっており、図４に示すように、床１０に取り付けられている。なお、図１において、１１は水面である。
【００１３】
９は台板傾斜抑制装置であり、該台板傾斜抑制装置９は図３に示すように、コ字状の枠体９−１の内面に上向の荷重を受ける弾性体１３、下向の荷重を受ける弾性体１４及び推力による水平方向の荷重を受ける弾性体１５を固着した構成である。弾性体１３と弾性体１４は台板８を挟持するように上下に配置され、弾性体１５は台板８の外周端面に対向するように配置している。台板傾斜抑制装置９は台板８の周囲に複数個（図では４個）床１０に固定されて配置されている。
【００１４】
上記構成の立型ポンプ装置において、電動機１を起動しポンプ２を運転し、吐出し圧力が掛かると吐出配管６が吐出配管受７で固定されているので、可撓管５の個所で生じた推力が吐出口４に掛かる。図２に示すように、防振装置１２は垂直方向の荷重しか受けないので台板８は推力で水平方向に移動しようとするが、これを図３に示す構成の台板傾斜抑制装置９の弾性体１３、１４、１５で受ける。
【００１５】
なお、上記弾性体１３、１４、１５はゴム等の弾性を有する材料で構成しても良く、またバネ等の弾性体で構成しても良い。
【００１６】
弾性体１３、１４、１５で構成される台板傾斜抑制装置９は、可撓管５の部分で生じる推力を台板８の端面で弾性体１５が垂直荷重として受けるようになっている。可撓管５の部分で生じる推力は台板８よりも高い位置で生じるので、可撓管５の中心と台板８の高さの差と推力の積のモーメントが台板８を傾ける力として作用するが、このモーメントによる上下方向の荷重を台板８の外周に配置した台板傾斜抑制装置９の弾性体１３、１４で受け、台板８の上下動を抑えて台板８の傾斜を抑制する。
【００１７】
なお、上記台板傾斜抑制装置９の構成は一例であり、本発明はこれに限定されるものではなく、要は、吐出し圧力によりポンプ吐出口に掛かる推力により台板に加わる水平方向の荷重及び上下方向の荷重を受け、台板の傾斜を抑制するものであればよい。
【００１８】
また、立型ポンプの構成も図１に示すものに限定されるものではない。要はポンプの横方向に突き出した吐出口に可撓管を接続し、ポンプを搭載した台板を防振装置で支持した構成の立型ポンプであればよい。
【００１９】
【発明の効果】
以上、説明したように各請求項に記載の発明によれば、下記のような優れた効果が得られる。
【００２０】
請求項１に記載の発明によれば、ポンプを運転して吐出し圧力が掛かるとポンプ吐出口に推力が生じ、この推力と台板と可撓管の中心の高さ差の積によりモーメントが発生し、台板に該台板を水平方向に移動させようとする荷重と傾けようとする上限方向の荷重が作用するが、この水平方向の荷重と、上下方向の荷重を台板傾斜抑制手段で受けるから、台板の水平方向の移動及び傾斜が抑制される。
【００２１】
請求項２に記載の発明によれば、台板傾斜抑制手段を、吐出し圧力によりポンプ吐出口に掛かる推力により、台板に掛かる水平方向の荷重及び上下方向の荷重を受ける弾性体で構成するので、いかなるポンプ機場でも安価に設置でき、振動対策や振動に起因する騒音対策の費用を大幅に削減できる。
【図面の簡単な説明】
【図１】本発明に係る立型ポンプ装置の据付構成を示す断面図である。
【図２】本発明に係る立型ポンプ装置を上から見た平面図である。
【図３】図２のＸ‐Ｘ断面矢視図である。
【図４】図２のＹ−Ｙ断面矢視図である。
【符号の説明】
１            電動機
２            ポンプ
３            吸込口
４            吐出口
５            可撓管
６            吐出配管
７            吐出配管受
８            台板
９            台板傾斜抑制装置
１０          床
１１          水面
１２          防振装置
１３          弾性体
１４          弾性体
１５          弾性体
１６          水槽
【図１】
0003939463.tif 000002
【図２】
0003939463.tif 000003
【図３】
0003939463.tif 000004
【図４】
0003939463.tif 000005